【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
ＮＡＰＴＲレコードを格納するＥＮＵＭサーバとＩＰネットワークを介して接続されるＩＰ電話装置であって、
前記ＥＮＵＭサーバに登録された自装置のＮＡＰＴＲレコードの削除をユーザが指示する指示手段と、
前記指示手段からの指示により前記ＥＮＵＭサーバに登録された自装置のＮＡＰＴＲレコードの削除要求を前記ＥＮＵＭサーバに送信する送信手段と、
を具備することを特徴とするＩＰ電話装置。
【請求項２】
他のＩＰ電話装置のＮＡＰＴＲレコードを問合せるための登録問い合わせを前記ＥＮＵＭサーバに定期的に送信する問合せ手段と、
前記問合せ手段による登録問い合わせに応じて前記ＥＮＵＭサーバから送信される前記他のＩＰ電話装置のＮＡＰＴＲレコードを受信する受信手段と、
前記受信手段により前記他のＩＰ電話装置のＮＡＰＴＲレコードが前記ＥＮＵＭサーバから削除されたことが判明したとき、前記他のＩＰ電話装置のＮＡＰＴＲレコードが削除されていることを示す表示手段と、
を具備することを特徴とする請求項１記載のＩＰ電話装置。
【請求項３】
前記ＥＮＵＭサーバから自装置のＮＡＰＴＲレコードを削除したことを、通知先として指定された他のＩＰ電話装置に送信する送信手段を具備することを特徴とする請求項１又は２記載のＩＰ電話装置。
【請求項４】
ＩＰ電話装置とＩＰネットワークを介して接続されるＥＮＵＭサーバであって、
前記ＩＰ電話装置のＮＡＰＴＲレコードを記憶する記憶手段と、
前記ＩＰ電話装置から前記記憶手段のＮＡＰＴＲレコードを削除するための削除要求を受信する受信手段と、
前記受信手段により削除要求を受信したとき前記記憶手段の当該ＩＰ電話装置のＮＡＰＴＲレコードを削除する削除手段と、
を具備することを特徴とするＥＮＵＭサーバ。
【請求項５】
ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、
前記ＩＰ電話装置は、
自装置のＮＡＰＴＲレコードの削除をユーザが指示する指示手段と、
前記指示手段からの指示により前記ＥＮＵＭサーバに登録された自装置のＮＡＰＴＲレコードの削除要求を前記ＥＮＵＭサーバに送信する送信手段と、を具備し、
前記ＥＮＵＭサーバは、
前記ＩＰ電話装置からの削除要求に応じて、前記データベースに登録された前記ＩＰ電話装置のＮＡＰＴＲレコードを削除する削除処理手段と、を具備することを特徴とするＩＰ電話システム。
【請求項６】
ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、
前記ＩＰ電話装置は、
自装置のＮＡＰＴＲレコードの削除をユーザが指示する指示手段と、
前記指示手段からの指示により前記ＥＮＵＭサーバに登録された自装置のＮＡＰＴＲレコードの削除要求を前記ＥＮＵＭサーバに送信する送信手段と、
前記ＥＮＵＭサーバから自装置のＮＡＰＴＲレコードを削除したことを、通知先として指定された他のＩＰ電話装置に送信する送信手段と、を具備し、
前記ＥＮＵＭサーバは、
前記ＩＰ電話装置からの削除要求に応じて、前記データベースに登録された前記ＩＰ電話装置のＮＡＰＴＲレコードを削除する削除処理手段を具備することを特徴とするＩＰ電話システム。
【手続補正２】
【補正対象書類名】明細書
【補正対象項目名】０００８
【補正方法】変更
【補正の内容】
【０００８】
本発明は、ＮＡＰＴＲレコードを格納するＥＮＵＭサーバとＩＰネットワークを介して接続されるＩＰ電話装置であって、前記ＥＮＵＭサーバに登録された自装置のＮＡＰＴＲレコードの削除をユーザが指示する指示手段と、前記指示手段からの指示により前記ＥＮＵＭサーバに登録された自装置のＮＡＰＴＲレコードの削除要求を前記ＥＮＵＭサーバに送信する送信手段と、を具備するようにしたものである。
【手続補正３】
【補正対象書類名】明細書
【補正対象項目名】００１０
【補正方法】変更
【補正の内容】
【００１０】
本発明の第１の態様に係るＩＰ電話装置は、ＮＡＰＴＲレコードを格納するＥＮＵＭサーバとＩＰネットワークを介して接続されるＩＰ電話装置であって、前記ＥＮＵＭサーバに登録された自装置のＮＡＰＴＲレコードの削除をユーザが指示する指示手段と、前記指示手段からの指示により前記ＥＮＵＭサーバに登録された自装置のＮＡＰＴＲレコードの削除要求を前記ＥＮＵＭサーバに送信する送信手段と、を具備する構成を採る。
【手続補正４】
【補正対象書類名】明細書
【補正対象項目名】００１２
【補正方法】変更
【補正の内容】
【００１２】
本発明の第２の態様は、第１の態様に係るＩＰ電話装置において、他のＩＰ電話装置のＮＡＰＴＲレコードを問合せるための登録問い合わせを前記ＥＮＵＭサーバに定期的に送信する問合せ手段と、前記問合せ手段による登録問い合わせに応じて前記ＥＮＵＭサーバから送信される前記他のＩＰ電話装置のＮＡＰＴＲレコードを受信する受信手段と、前記受信手段により前記他のＩＰ電話装置のＮＡＰＴＲレコードが前記ＥＮＵＭサーバから削除されたことが判明したとき、前記他のＩＰ電話装置のＮＡＰＴＲレコードが削除されていることを示す表示手段と、を具備する構成を採る。
【手続補正５】
【補正対象書類名】明細書
【補正対象項目名】００１４
【補正方法】変更
【補正の内容】
【００１４】
本発明の第３の態様は、第１又は第２の態様に係るＩＰ電話装置において、前記ＥＮＵＭサーバから自装置のＮＡＰＴＲレコードを削除したことを、通知先として指定された他のＩＰ電話装置に送信する送信手段を具備する構成を採る。
【手続補正６】
【補正対象書類名】明細書
【補正対象項目名】００１６
【補正方法】変更
【補正の内容】
【００１６】
本発明の第４の態様に係るＥＮＵＭサーバは、ＩＰ電話装置とＩＰネットワークを介して接続されるＥＮＵＭサーバであって、前記ＩＰ電話装置のＮＡＰＴＲレコードを記憶する記憶手段と、前記ＩＰ電話装置から前記記憶手段のＮＡＰＴＲレコードを削除するための削除要求を受信する受信手段と、前記受信手段により削除要求を受信したとき前記記憶手段の当該ＩＰ電話装置のＮＡＰＴＲレコードを削除する削除手段と、を具備する構成を採る。
【手続補正７】
【補正対象書類名】明細書
【補正対象項目名】００１８
【補正方法】変更
【補正の内容】
【００１８】
本発明の第５の態様に係るＩＰ電話システムは、ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、前記ＩＰ電話装置は、自装置のＮＡＰＴＲレコードの削除をユーザが指示する指示手段と、前記指示手段からの指示により前記ＥＮＵＭサーバに登録された自装置のＮＡＰＴＲレコードの削除要求を前記ＥＮＵＭサーバに送信する送信手段と、を具備し、前記ＥＮＵＭサーバは、前記ＩＰ電話装置からの削除要求に応じて、前記データベースに登録された前記ＩＰ電話装置のＮＡＰＴＲレコードを削除する削除処理手段と、を具備する構成を採る。
【手続補正８】
【補正対象書類名】明細書
【補正対象項目名】００２０
【補正方法】変更
【補正の内容】
【００２０】
本発明の第６の態様に係るＩＰ電話システムは、ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、前記ＩＰ電話装置は、自装置のＮＡＰＴＲレコードの削除をユーザが指示する指示手段と、前記指示手段からの指示により前記ＥＮＵＭサーバに登録された自装置のＮＡＰＴＲレコードの削除要求を前記ＥＮＵＭサーバに送信する送信手段と、前記ＥＮＵＭサーバから自装置のＮＡＰＴＲレコードを削除したことを、通知先として指定された他のＩＰ電話装置に送信する送信手段と、を具備し、前記ＥＮＵＭサーバは、前記ＩＰ電話装置からの削除要求に応じて、前記データベースに登録された前記ＩＰ電話装置のＮＡＰＴＲレコードを削除する削除処理手段を具備する構成を採る。